(57)【要約】  【課題】  ディスプレイの画面を最大限に使うことを可能にし、かつダイヤルキーの入力操作も安定して行えるスライドカバーを有する無線通信装置を提供することを目的とする。  【解決手段】  キー操作部２とマイク３とを備えた本体ベース部１と、液晶表示部６とスピーカ５とをスクロールキー部７を備えたスライド扉部４とを有し、スライド扉部４は本体ベース部１に対してスライド移動して、キー操作部２を覆う範囲を自由に設定できる。【選択図】  図１
2007184966.tif 000002
【特許請求の範囲】
【請求項１】
キー操作手段とマイクとを備えた本体ベース部と、表示手段と前記表示手段の表示画面制御を行う主操作部とスピーカとを備えたカバー部とを有し、前記カバー部は前記本体ベース部に対してスライド移動することにより前記本体ベース部の前記キー操作手段を開閉することを特徴とする無線通信装置。
【請求項２】
前記本体ベース部の前記スピーカは前記カバー部の前面に配置し、前記本体ベース部の前記マイクは前記カバー部により前記本体ベース部の前記キー操作部を全く覆った状態でも、常に外部露出するように配置されていることを特徴とする請求項１に記載の無線通信装置。
【請求項３】
前記主操作部が、前記表示手段の表示画面制御に対する入力動作ロック機構を有することを特徴とする請求項１から請求項２のいずれかに記載の無線通信装置。
【発明の詳細な説明】
【技術分野】
【０００１】
本発明は、携帯電話やＰＨＳ等の無線通信装置に関し、特に装置本体部に対してそのカバー部がスライド移動可能な機構を有する無線通信装置に関する。
【背景技術】
【０００２】
従来、携帯電話やＰＨＳ等の無線通信装置においては、その多くは電話機能が一つの筐体に搭載されて、筐体の前面にスピーカ、表示手段、ダイヤルキーなどの操作キー、マイクなどが配置されており、小型化を図り、携帯性、操作性を容易にしている。しかし、ダイヤルキーなどの操作キーが露出しており、電源が入った状態で携帯している時に不用意に触れて誤動作させてしまうという問題があつた。
【０００３】
また、電話機能の他に非電話サービス機能などの多様化を行おうとすると、表示手段における表示文字数を多くしなければならなかった。
【０００４】
そこで、携帯型電話機では折り畳みが可能なものも提供されている。この折り畳み可能な携帯型電話機では、例えば、スピーカと表示手段とを備えた第１の部分と、キー操作部とマイクとを備えた第２の部分からなり、電話をかけない時（携帯時）には第１の部分のスピーカと表示手段とが配置された面が、第２の部分のキー操作部とマイクとが配置された面とが対向するように畳み込まれている。
【０００５】
このように、折り畳み型携帯電話機では、折り畳まれた状態でキー操作部も内側に保護されるので不用意な接触による誤動作も防止できる。また、表示手段もキー操作部とは別の面に配備されたことにより、表示面積も広く確保でき、電話機能以外の機能の多様化、例えば、電子メールのような非音声サービスにも対応できる。
【０００６】
しかし、折り畳み型携帯型電話機では、コールＩＤサービスにより発信元電話番号が通知された場合や、メッセージ・データを受信した時、折り畳まれた状態から開いた状態にしなければならないので、ディスプレイ部の表示をすぐ見ることができない。
【０００７】
また、小型化を図り、携帯性、操作性を容易にすると同時に、常に、電話機能以外に表示画面によって行うメッセージ通信などの状況をモニターするには、折り畳み型以外の機構として、スピーカと表示手段とを備えた第１の部分と、キー操作部とマイクとを備えた第２の部分を相互にスライド移動するようにし、電話をかけない時（携帯時）には第１の部分と第２の部分とが重なるようにする携帯型無線通信装置も提供されている。例えば、特開平９−２４７２５２号公報に提案されている無線電話においては、スピーカと表示手段とキー操作部とが電話機本体部に配備され、マイクを配備したカバー部が前記電話機本体部の上をスライド移動して覆う機構を有している。電話をかけない時（携帯時）には、前記カバー部はキー操作部を全て覆うようにスライド移動でき、また、キー操作部が全て露出することも部分的に覆うように中間位置でロックすることも可能である。スピーカと表示手段は、前記カバー部がキー操作部を全て覆う状態においても露出している。
【０００８】
同じく、スライド移動機構を有する例として、特開平１０−２７１１９２号公報を挙げることができる。この場合には、マイク、ダイヤル操作キー群を有する操作パネル部が、スピーカ、ディスプレイ部を有する本体部に対してスライド移動するようにしたことにより、前記操作パネル部を前記本体部の下へ収納したり、引出したりすることができるようになっている。前記操作パネル部を前記本体部の下へ収納した時には、前記操作パネル部は操作できない。
【特許文献１】特開平９−２４７２５２号公報
【特許文献２】特開平１０−２７１１９２号公報
【発明の開示】
【発明が解決しようとする課題】
【０００９】
しかしながら、前記特開平９−２４７２５２号公報に記載されたものなどにおいては、電話機本体部の上面がスピーカと表示手段とを備えた第１の部分とキー操作部とマイクとを備えた第２の部分に分割されてしまうので、表示手段の面積が限られてしまうという問題があった。
【００１０】
一方、前記特開平１０−２７１１９２号公報に記載されたものなどにおいては、使用者は本体部と引出した操作パネルを同時に支えながら行わないと操作性の安定が保持できないという問題がある。また、前記操作パネル部を前記本体部に収納してしまうと、マイクが隠れてしまい、前記操作パネル部を前記本体部に収納した状態で発着信して通話状態になった時、音声が入力し難いという問題も生じる。
【００１１】
本発明は、このような問題を解決するためになされたもので、カバー部をスライド移動しダイヤルキー操作部を覆っても、電話の発着信操作は無論のこと、それ以外の非電話サービス機能モードでもディスプレイ部の画面を最大限に使うことを可能にし、かつダイヤルキーの入力操作も安定して行える小型携帯型無線通信装置を提供することを目的とする。また、カバー部をスライド移動しキー操作部を覆っても覆っていなくても、スピーカとマイクは外部に露出することで電話通話が可能である携帯型無線通信装置を提供することを目的とする。
【課題を解決するための手段】
【００１２】
この課題を解決するために、本発明の携帯型無線通信装置は、キー操作手段とマイクとを備えた本体ベース部と、表示手段と前記表示手段の表示画面制御を行う主操作部とスピーカとを備えたカバー部とを有し、前記カバー部は前記本体ベース部に対してスライド移動することにより前記本体ベース部の前記キー操作手段を開閉することを特徴とする。
【００１３】
この構成により、カバー部をスライド移動しダイヤルキー操作部を覆っても、電話の発着信操作は無論のこと、それ以外の非電話サービス機能モードでもディスプレイ部の画面を最大限に使うことを可能にする。
【００１４】
また、本発明の携帯型無線通信装置は、前記本体ベース部の前記スピーカは前記カバー部の前面に配置し、前記本体ベース部の前記マイクは前記カバー部により前記本体ベース部の前記キー操作部を全く覆った状態でも、常に外部露出するように配置することを特徴とする。
【００１５】
この構成により、カバー部をスライド移動してダイヤルキー操作部を覆っても、覆っていなくても、常時スピーカとマイクは外部に露出しているので電話通話が可能である。
【００１６】
また、本発明の携帯型無線通信装置は、前記主操作部が、前記表示手段の表示画面制御に対する入力動作ロック機構を有する構成を採る。
【００１７】
この構成により、外部に露出しているカバー部の主操作部のスクロールキーには、リング状回転スイッチによるロック機能を設けたので、不用意にクリックしても表示手段の表示画面に対する不正な制御を防止できる。
【発明の効果】
【００１８】
以上説明したように、本発明による携帯型無線通信装置において、表示手段と前記表示手段の表示画面制御を行う主操作部とスピーカとを備えたカバー部は、キー操作手段とマイクとを備えた本体ベース部に対してスライド移動することが可能であり、カバー部のスライド移動により本体ベース部のキー操作手段の全体、またはその一部分を覆ったり、全く覆わないことも自由に設定することが可能である。従って、カバー部が本体ベース部の全体を覆う場合は、誤って操作キーを押下して携帯型無線通信装置を誤動作させることを確実に防止できる。さらに、外部に露出している主操作部のスクロールキーには、リング状回転スイッチによるロック機能を設けたので、不用意にクリックしても表示手段の表示画面制御が行われない。
【００１９】
また、液晶表示部をキー操作部とマイクのある本体ベース部とは異なるカバー部に設けられるため、キー操作部とマイクの配置スペースに関係なく液晶画面の表示領域を最大限に使うことを可能にする。手によって保持する本体ベース部上にダイヤルキーの入力操作部があるので、ダイヤルキーの入力操作も安定して行える。さらに、カバー部をスライド移動しダイヤルキー操作部を覆っても、覆っていなくても、常時スピーカとマイクは外部に露出しているので電話通話が可能である。
【発明を実施するための最良の形態】
【００２０】
以下、本発明の一実施の形態について図面を参照して詳細に説明する。
【００２１】
図１は、本発明の一実施の形態における携帯型無線通信装置の基本構成図であり、（ａ）は本発明の一実施の形態における携帯型無線通信装置の縮小時（携帯時）における平面図であり、（ｂ）は本発明の一実施の形態における携帯型無線通信装置の縮小時（携帯時）における側面図であり、（ｃ）は本発明の一実施の形態における携帯型無線通信装置の伸長時における平面図であり、（ｄ）は、本発明の一実施の形態における携帯型無線通信装置の伸長時における側面図である。
【００２２】
図１において、本体ベース部１の表面には数字ダイヤルキーなどからなるキー操作部２と、その下の位置にマイク３が配備されている。本体ベース部１の上には、本体ベース部１に設けたスライダー（特に、図示せず）に沿って本体ベース部１の上を上下にスライド移動するスライド扉部４がある。スライド扉部４の上面には、最上位にスピーカ５、その下に液晶表示部６が配備されている。図１（ａ）、および図１（ｃ）に示されるように、スライド扉部４の面積の大部分を液晶表示部６が占めている。
【００２３】
液晶表示部６の下部には主操作部７が配置され、スクロールキー７ａ、フォワードキー７ｂ，およびバックキー７ｃから構成されている。主操作部７は縮小時（携帯時）においても露出しているので、不用意にクリックすると動作してしまう恐れがある。そこで、スクロールキー７ａには、その周りにリング状回転スイッチ７ｄを設け、このリング状回転スイッチ７ｄを回転させ、その小突起部７ｅを主操作部面上の三角印７ｆに合わせた状態にしておかなければ、スクロールキー７ａのクリック動作は有効にはならないようにしている。
【００２４】
図１（ｂ）、および（ｄ）に示されるように、本体ベース部１の側面にスライドオープンスイッチ８があり、これを押下していると、スライド扉部４が本体ベース部１の上を自由にスライド移動できるようになり、図１（ａ）の縮小状態から図１（ｃ）の伸長状態に移行することができる。後述する縮小状態と伸長状態の中間の位置にするには、スライド扉部４が所定の位置に来た時、スライドオープンスイッチ８を押下するのを止めると、その位置で固定される。なお、縮小（収納）状態にするには、スライドオープンスイッチ８を押下した状態で、スライド扉部４を手動で下方向に押し下げることで行う。縮小（収納）状態において、スライド扉部４は、本体ベース部１のマイク３を覆うことはない。このようにして、スライド扉部４を上下させて、一実施の形態の携帯型無線通信装置の全体長を伸縮させても、マイク３とスピーカ５とは常に露出された状態にある。
【００２５】
図２は、本発明の一実施の形態における携帯型無線通信装置のブロック図である。
【００２６】
図２のブロック図に示すように、本発明の一実施の形態の携帯型無線通信装置の本体ベース部１は、アンテナ９、ＲＦ回路１０、変復調回路１１、ベースバンド処理回路１２、コーディック回路１３、通信制御回路１４、中央処理部１５、マイク３、メモリ部１６、およびキー操作部２を備える。本体ベース部１のＲＦ回路１０は、アンテナ共用器１０ａ、受信回路１０ｂ、送信回路１０ｃ、周波数シンセサイザ１０ｄを有する。本体ベース部１のキー操作部２には、図１に示したように開始キー、終了キー、および０，１，２,・・、９の数字キー、＠キー、＃キーからなるダイヤル操作キー群を備える。なお、各数字キーには、平仮名５０音の各行の先頭文字、およびアルファベット英文字を複数個ずつ順に割り当てている。
【００２７】
一方、スライド扉部４はスピーカ５、液晶表示部６、およびスクロールキー７ａ、フォワードキー７ｂ、バックワードキー７ｃ、リング状回転スイッチ７ｄなどからなる主操作部７を備える。
次に、本発明の一実施の形態の携帯型無線通信装置について、各種の動作モードと操作方法について図面によって詳細に説明する。
【００２８】
まず通常の電話の送受信の場合である。
【００２９】
図３は、本発明の一実施の形態における携帯型無線通信装置を縮小状態にした時の画面表示例を示す図であり、（ａ）は動作モード選択画面の表示例を示す図であり、（ｂ）は、電話送受信の場合、内蔵する電話番号帖から読み出した所要の相手先氏名と電話番号の画面表示例を示す図である。
【００３０】
図４は、本発明の一実施の形態における携帯型無線通信装置を伸長状態にした時、電話送受信の場合に電話番号をキー入力操作部から入力した状況の表示例を示す図である。
【００３１】
本発明による携帯型無線通信装置では、図１（ａ）の縮小状態、および図１（ｃ）の伸長状態のいずれの状態からでも電話発着信が可能である。
【００３２】
縮小状態からの発着信動作は、以下のようにして行われる。
【００３３】
縮小状態において電源投入すると、スライド扉部４の液晶表示部６には図３（ａ）に示すようにモード選択画面１００が表示される。ここで、リング状回転スイッチ７ｄを回転させ、その小突起部７ｅを主操作部面上の三角印７ｆに合わせた状態にして、スクロールキー７ａのクリック動作を有効にする。次に、白黒反転部分を主操作部７のスクロールキー７ａによって選択する動作モードである電話発着信の位置にもって来てクリックすると、すでに本体ベース部１のメモリ部１６に記憶保持されている電話番号帳を中央処理部１５が呼出し、図３（ｂ）に示すように、液晶表示部６に氏名とその電話番号、メールアドレスのリスト２００が表示される。スクロールキー７ａによって、白黒反転表示部分を所要の相手先氏名とその電話番号を画面表示させて、開始マーク２０１にカーソルを合わせてクリックすると、発信動作が行われ、相手先が応答すると通話状態に入る。
【００３４】
一方、着信時はスピーカ５から呼出し音が発せられるので、開始マーク２０１にカーソルを合わせてクリックすると通話状態に入る。
【００３５】
次に、伸長状態からの発着信動作は、以下のようにして行われる。キー操作部２の数字ダイヤルキーによって相手先電話番号を入力すると、液晶表示部６に表示され、次にキー操作部２の最下段に配置された開始キーを押下すると、図４の発信動作画面３００に示されるように、発信動作が開始する。一方、着信時はスピーカ５から呼出し音が発せられるので、キー操作部２の開始キーを押下すると通話状態に入る。
【００３６】
なお、通話状態の終了は、縮小状態の場合、フォーワードキー７ｂによってカーソル位置を液晶表示部６の画面上の終了マーク２０３へ移動してスクロールキー７ａをクリックする。また、伸長状態の場合は、キー操作部２の終了キーを押下して行う。
【００３７】
また、スライド扉部４が縮小状態と伸長状態の中間の位置にあって、少なくともキー操作部２の最下段に配置された開始キー、および終了キーを覆っていなければ、発着信動作が、液晶表示部６の画面、あるいはキー操作部のいずれからでも可能になる。
【００３８】
次に各種の非音声サービス機能モードの場合である。
【００３９】
図５は、本発明の一実施の形態における携帯型無線通信装置の電子メール動作時の表示例を示す図であり、（ａ）は電子メール発信時の入力操作画面４００の表示例を示す図であり、（ｂ）は電子メール受信時の受信状況画面５００の表示例を示す図である。
【００４０】
非音声サービス機能としては、電話番号帖への登録と検索、インターネット接続によるＷＥＢサイトの検索と閲覧、電子メールの発着信、メールボックス作成などがある。ここでは、電子メールを例にして動作を説明する。
【００４１】
縮小状態においては、液晶表示部６に図３（ａ）に示すモード選択画面１００を表示し、前記各種の非音声サービス機能の中から所望のもの指定すると、その動作モードの入力操作画面が表示されるので、主操作部７のスクロール７ａ，７ｂ，７ｃキーによって表示画面のスクロール、所定機能項目の選択をして行う。なお、縮小状態の場合、氏名、および電話番号の入力とメールアドレスの設定は、メモリ部１６に登録した電話番号帖から呼び出して行い、および電子メール文の設定は、予めメモリ部１６に設けたメールボックス（特に、図示せず）から読み出して設定する。
【００４２】
また、伸長状態においても、液晶表示部６には図３（ａ）に示したのと同じメニュー選択画面が表示されるので、前記各種の非電話サービス機能の中から所望のもの指定すると（この場合、電子メールを選択）、その動作モードの入力操作画面が表示されるので、主操作部７の各種キーによって表示画面をスクロールさせて所定機能項目の設定を行う。図５（ａ）は電子メール発信時の入力操作画面４００の表示例である。ここで、主操作部７の各種キーによって液晶表示部６の電子メール発信時の入力操作画面４００における発信のマークをクリックするか、あるいは、キー操作部２の開始キーを押下することにより送信が行われる。電子メール着信時は電子メールの表示画面において、着信マークへカーソルを移動してクリックすると、プロバイダーへの接続処理が行われ、図５（ｂ）に示すように、電子メール着信画面５００が現れて、相手先から着信しているメッセージが画面に表示される。
【００４３】
伸長状態においては、電話番号帖への登録、電子メール文の作成などは、平仮名文字や英文字の表示には、例えば、キー操作部２の各ダイヤルキーに五十音の各行の先頭文字、および英文字を割り当て、その押下回数により各行の文字、および英文字を選択し表示させる方法が採られる。 
【図面の簡単な説明】
【００４４】
【図１】本発明の一実施形態における携帯型無線通信装置の基本構成図
【図２】本発明の一実施の形態における携帯型無線通信装置のブロック図
【図３】本発明の一実施の形態における携帯型無線通信装置の縮小状態にした時の画面表示例を示す図
【図４】本発明の一実施の形態における携帯型無線通信装置を伸長状態にした時、電話送受信の場合に電話番号をキー入力操作部から入力した状況の表示例を示す図
【図５】本発明の一実施の形態における携帯型無線通信装置の電子メール動作時の表示例を示す図
【符号の説明】
【００４５】
１  本体ベース部
２  キー操作部
３  マイク
４  スライド扉部
５  スピーカ
６  液晶表示部
７  主操作部
８  スライドオープンスイッチ
９  アンテナ
１０  ＲＦ回路
１１  変復調回路
１２  ベースバンド処理回路
１３  コーディック回路
１４  通信制御回路
１５  中央処理部
１６  メモリ部
【図１】
2007184966.tif 000003
【図２】
2007184966.tif 000004
【図３】
2007184966.tif 000005
【図４】
2007184966.tif 000006
【図５】
2007184966.tif 000007